(57)【要約】容器内に所定のレベルまで液体を供給するための流量制御装置であって、閉塞した上端部（１１）と開放した下端部（１２）を有する筒状本体（１０）と、液体供給部に取り付けられ、または取り付けられるための取入口（１４）と、本体（１０）内の取入口（１４）の下側にあり、本体（１０）に横切って延びる軸（２０）に枢着され、外力がないときに液体が本体（１０）を通って流れることを許容するフラップバルブ（１９）と、容器内の液面が上昇したときにフラップバルブ（１９）を閉塞状態に向けて回転させるために本体（１０）内に配置されたフロート（２２）とを備える。
2007519871.tif 000002
【特許請求の範囲】
【請求項１】
容器内に所定のレベルまで液体を供給するための流量制御装置であって、閉塞した上端部と開放した下端部を有する筒状本体と、液体供給部に取り付けられ、または取り付けられるための取入口と、本体内の取入口の下側にあり、本体に横切って延びる軸に枢着され、外力がないときに液体が本体を通って流れることを許容するフラップバルブと、容器内の液面が上昇したときにフラップバルブを閉塞状態に向けて回転させるために本体内に配置されたフロートとを備える流量制御装置。
【請求項２】
取入口が、本体内に供給される液体がフラップバルブの軸の一方の側部に導かれるように配置される請求項１に記載の流量制御装置。
【請求項３】
フロートがフラップバルブの他方の側部の下面に設けられ、または作用する請求項２に記載の流量制御装置。
【請求項４】
筒状本体が、フラップバルブの前記一方の側部の下側の液体のための側部排出開口を有する請求項２に記載の流量制御装置。
【請求項５】
筒状本体の内壁が、取込口から供給される液体がフラップバルブの前記一方の側部を通って流れることを促すためのガイド手段を備える請求項２に記載の流量制御装置。
【請求項６】
フラップバルブが、フラップバルブが閉塞状態にあるときに本体の内壁に対してシールするための環状シールを備える請求項１に記載の流量制御装置。
【請求項７】
フラップバルブが、外力がないときに開放状態になるために重みが掛けられる請求項１に記載の流量制御装置。
【請求項８】
フラップバルブの軸が、フラップバルブを２つの部分に不均一な面積に分割するようにフラップバルブに交差する平面の一方の面側にずれている請求項１に記載の流量制御装置。
【請求項９】
フロートがフラップバルブの小さいほうの部分の下面に設けられ、または作用する請求項８に記載の流量制御装置。
【請求項１０】
装置を容器に連結するための連結手段をさらに備える請求項１に記載の流量制御装置。
【請求項１１】
連結手段が容器の縁に掛けるためのフックを備える請求項１０に記載の流量制御装置。
【請求項１２】
フラップバルブが、フラップバルブを閉塞状態と開放状態の間で回動させるための外部操作部材を有する請求項１に記載の流量制御装置。
【請求項１３】
外部操作部材がフラップバルブが正確な位置で閉塞することを保障するためのストッパとして作用する請求項１２に記載の流量制御装置。
【請求項１４】
中空の本体が、閉塞状態にあるときのフラップバルブの上側に配置される圧力開放バルブを有する請求項１に記載の流量制御装置。
【請求項１５】
本体が、使用時に閉塞状態に近づくときにフラップバルブが通る領域に、外側に膨らむ輪郭形状を有する請求項１に記載の流量制御装置。
【発明の詳細な説明】
【技術分野】
【０００１】
本発明は、液体を容器内へ所定のレベルまで供給するための流量制御装置に関する。
【背景技術】
【０００２】
バケツあるいは貯水缶等の容器を充填するとき、充填されている間は容器の場所から立ち去り、容器が溢れたことを見るだけのために戻ることが通常である。
【発明の開示】
【発明が解決しようとする課題】
【０００３】
本発明はこのような状態が起きることを防止する流量制御装置を提供するためになされたものである。
【課題を解決するための手段】
【０００４】
本発明によれば、容器内に所定のレベルまで液体を供給するための流量制御装置が提供され、この流量制御装置は、閉塞した上端部と開放した下端部を有する筒状本体と、液体供給部に取り付けられ、または取り付けられるための取入口と、本体内の取入口の下側にあり、本体に横切って延びる軸に枢着され、外力がないときに液体が本体を通って流れることを許容するフラップバルブと、容器内の液面が上昇したときにフラップバルブを閉塞状態に向けて回転させるために本体内に配置されたフロートとを備える。
【０００５】
本発明の好ましい、あるいは選択的な特徴は請求項２から１５に記載されている。
【０００６】
本発明は、一例として、本発明による流量制御装置の実施形態の断面図である、添付された図面を参照してより詳細に説明される。
【発明を実施するための最良の形態】
【０００７】
図を参照すると、図示された流量制御装置は、液体を容器の所定のレベルまで供給するために、バケツあるいはじょうろのような容器（図示せず）内に装着されうる。
【０００８】
流量制御装置は、閉塞した上端部１１と開放した下端部１２とを有する筒状本体１０を備える。本体１０はまた、本装置を容器の縁に留めるためのフック１３を有する。
【０００９】
筒状本体１０は、閉塞上端部１１に接続され、そこを貫通して延びる液体取込口１４を有する。液体取込口１４は、ホース等の液体供給パイプが取り付け可能である、複数の環状刻み目１５を有し、これは他の形状であってもよい。
【００１０】
筒状本体１０はまた、側部排出開口１６を有する。傾斜壁１７は側部排出開口１６をフロート室１８から分離する。
【００１１】
フラップバルブ１９は筒状本体１０内において、上端部１１と下端部１２の中間であって、側部排出開口１６の上に枢着される。フラップバルブ１９の軸２０は好ましくは、必須ではないが、フラップバルブ１９に交差する平面２１の一方の面側にずれている。フロート２２は、容器内の液面が上昇したときにフラップバルブを閉塞位置に向けて回動させるために、フロート室１８内においてフラップバルブ１９の下側に設けられる。傾斜壁１７はストッパとして作用し、フラップバルブ１９が開放しすぎることを防止する。
【００１２】
フロート２２は、図示されるように２つの部分に分かれており、本体１０の開放下端部１２を介して容器内の液体内にさらされる。
【００１３】
フラップバルブ１９は、フロートやフラップバルブ上の水圧によってフラップバルブに付与される外力がない状態で、図面に示されるような開放状態に向けて移動するように重みが掛けられる。
【００１４】
略Ｌ字状断面の環状シール２３がフラップバルブ１９に設けられ、フラップバルブが閉塞状態にあるときに液圧に対して本体１０の内壁をシールする。
【００１５】
取込口１４の下の内端部は、フラットバルブが全開状態にあるときに、容器内へ送り込まれる液体がフロート室から離れたフラップバルブ１９の側部を通るように導き、かつフラットバルブが閉塞しはじめるときに、液体をフラップバルブの一方の側部に導くように成形される。
【００１６】
典型的には逆Ｕ字状のチャンネル形状を有するガイド２４は、本体１０の内壁に設けられ、フラップバルブが開放状態にあるときに、水が取込口から排出してフラップバルブ１９の一方の側部を通り、側部側部排出開口１６を通って流れるように促す。
【００１７】
フラップバルブ１９の軸２０が上述したようにずれていると、軸２０はフラップバルブ１９を第１の部分１９Ａと、第１の部分１９Ａよりも大きな面積を有する第２の部分１９Ｂに分割し、フロート２２は後述する理由のために、小さい部分１９Ｂの下面に作用する。
【００１８】
シール２３と本体１０の間の寸法公差は最小液圧で効果的なシールを助けるために可能な限り近いことが重要であるので、フラップバルブが閉塞状態にあるとみなされるときにフラップバルブの第１の部分１９Ａの下側にあり、フラップバルブが閉塞状態にあるとみなされるときにフラップバルブの部分１９Ｂの上側にある本体１０の領域は、フラップバルブ１９の正確な動作と閉塞を補けるために、図面に示されるように外側に膨らむ輪郭形状を有する。したがって本体は、フラップバルブは閉塞状態に近づくときに通る領域において、外側に膨らんでいる。
【００１９】
また、フラップバルブ１９は理想的には本体１０内の開口の中に設けられた丸いピボットロッドを有し、その開口は、フラップバルブの開閉を容易にするために、本体の軸に垂直な平面内では長円形あるいは細長い。
【００２０】
フラップバルブ１９は開閉状態の間でフラップバルブ１９を回動させるために、手動外部操作部材を有する。図示されるように、これはバネ付勢されたプランジャ２５の形態をとる。流量制御装置はまた、閉塞状態にあるときのフラップバルブ１９の上側に配置された圧力開放バルブを有する。この圧力開放バルブは、バネ付勢されたプランジャ２５の中に組み込まれてもよい。バネ付勢されたプランジャ２５は、フラップバルブ１９が正確な位置において閉塞することを保障するためのストッパとしても作用する。
【００２１】
流量制御装置は適当な金属から成り、筒状本体１０は典型的には約４cmの大きさの断面を有するが、これよりも小さくても大きくてもよい。
【００２２】
本体１０は如何なる適当な断面形状を有していてもよく、円形断面である必要はない。
【００２３】
使用時、装置は容器内に置かれ、容器の縁に掛けられる。水または他の液体が取込口１４に取り付けられたホースを介して筒状本体１０の中に供給される。容器内の液体がフロート２２の下側にあるとき、フラップバルブ１９は図示されているように開放状態に回動している。容器内の液面が上昇して、フロート２２に接触すると、フラップバルブが閉塞状態に回動する。フラップバルブ１９が閉塞状態に回動すると、入り口から容器内へ入ってくる液体がフラップバルブ１９の一方の側部にぶつかり、フラップバルブをすばやく閉塞させ、本体の内壁に対してシールさせる。ピボット軸が平面２１からずれていると、フラップバルブ１９の上の液圧がフラップバルブをしっかりと閉塞したままに保持し、シール２３の効果を改良する。
【００２４】
フラップバルブ１９の上の液圧を開放し、フラップバルブが開放状態に復帰するのを許容するために、フラップバルブはバネ付勢されたプランジャ２５を用いて手動により回動されてもよい。さらに、あるいは代替的に、圧力は圧力バルブを開くことによって開放されてもよい。好ましくは、これら両方の場合、取込口１４に供給される水は、フラップバルブ上に流入する水の圧力を低下させるために、最初に遮断されるべきである。
【００２５】
上述の実施形態はただ一つの例として与えられ、添付された請求項により定義される本発明の範囲から逸脱しないで修正することは当業者にとって自明である。例えば、フックは他の適当な取付装置に置き換え可能である。フロートは、フラップバルブと一体的な一部として設けられてもよい。この場合、側部排出開口は不要であり、液体は筒状本体の開放下端部から排出される。流量制御装置は上述した構成以外の用途にも利用できる。例えば、トイレのタンクや冷水タンクに利用されることができ、すなわち、特にたらいや浴槽を満たすための蛇口の一体部品を構成してもよい。
【図面の簡単な説明】
【００２６】
【図１】本発明による流量制御装置の実施形態の断面図である。
【図１】
2007519871.tif 000003
【国際調査報告】
2007519871.tif 000004
2007519871.tif 000005
2007519871.tif 000006
2007519871.tif 000007